(57)【要約】【課題】キルティング加工された野球のユニフォームなどの補強や補修用として使われる衝撃吸収パッドの糸切れによるほつれを防止する。【解決手段】衝撃吸収パッド１をキルティング加工に代えて高周波溶着によるステッチ加工を行うようにする。このようにすることで、スライディングなどで１つのステッチ２が外れても、他のステッチ２は、それぞれ溶着しているので、ミシン目のように連鎖的に外れることはなく、糸ぎれによるほつれを防止できる。【選択図】  図２
2004244760.tif 000002
【特許請求の範囲】
【請求項１】
表地と裏地の間に緩衝用の中綿を入れ、キルティング加工を施したスポーツ用衝撃吸収パッドにおいて、
前記キルティング加工に代えて高周波溶着によるステッチ加工を行うようにしたスポーツ用衝撃吸収パッド。
【請求項２】
上記パッドの裏地側の周囲に熱溶着テープを設けた請求項１に記載のスポーツ用衝撃吸収パッド。
【発明の詳細な説明】
【０００１】
【発明の属する利用分野】
この発明は、例えば、野球などのユニフォームの補強や補修等々に使うスポーツ用衝撃吸収パッドに関するものである。
【０００２】
【従来の技術】
ユニフォームがスライディングなどの練習中に破れることの多い野球などでは、ユニフォームの破れ防止や補修などに衝撃吸収パッドが用いられる。
【０００３】
このスポーツ用の衝撃吸収パッドは、例えば、表地と裏地の間に緩衝用の中綿を入れてキルティング加工を施したもので、補強や補修などをしようとする所要の箇所に縫い付ける。また、縫い付ける手間を省くために、パッドの裏地の全面にホットメルト接着剤を裏打ちして、家庭用のアイロンなどで時間と手間をかけずに簡単、かつ、きれいに装着できるようにした〔特許文献１〕に示すようなものもある。
【０００４】
【特許文献１】
実用登録第３０５５８８９号公報
【０００５】
【発明が解決しようとする課題】
しかしながら、上記のキルティング加工を施した衝撃吸収パッドでは、前記キルティング加工のステッチはミシン目なので、表地のステッチの糸がスライディングなどで切れると、「ほつれ」てしまうという問題がある。
【０００６】
また、裏地の全面にホットメルト接着剤を裏打ちしたものでは、溶着したホットメルト接着剤が冷えるとパッドを貼りつけた全体が硬化してしまい、動きを邪魔する問題がある。
【０００７】
そこで、この発明の課題は、糸切れによる「ほつれ」をなくすこと、また、パッドを貼り付けた際に、動きを邪魔しないようにすることである。
【０００８】
【課題を解決する手段】
上記の課題を解決するため、この発明では、表地と裏地の間に緩衝用の中綿を入れ、キルティング加工を施したスポーツ用衝撃吸収パッドにおいて、前記キルティング加工に代えて高周波溶着によるステッチ加工を行うようにした構成を採用したのである。
【０００９】
このような構成を採用することにより、表地と裏地及びその間に入れた中綿を高周波加熱によって溶融、圧着してミシン目状のステッチを付けるようにすれば、例えば、スライディングなどで１つのステッチが外れても、他のステッチは、それぞれ溶着しているので、ミシン目のように連鎖的に外れることはなく、糸ぎれによるほつれを防止できる。
【００１０】
また、このとき、上記パッドの裏地側の周囲に熱溶着テープを設けた構成を採用することができる。
【００１１】
このような構成を採用することにより、アイロンなどによってパッド周囲の熱溶着テープを溶融すれば、所要箇所に糸を使わずに貼りつけられる。また、これを仮止めとすれば、簡単に糸で縫うことができ、より強度も高められる。また、このように周囲を固定してもパッドの中央部分は接着されておらず、この部分の接着剤による硬化がないので動きを邪魔しない。
【００１２】
【発明の実施の形態】
以下、この発明の実施の形態を図面に基づいて説明する。
【００１３】
図１（ａ）、（ｂ）に示すこの形態のスポーツ用衝撃吸収パッド１は、パッド面に高周波溶着によるステッチ２を設けるステッチ加工を行ったもので、図１（ａ）のものは膝当て用、同（ｂ）は尻当て用である。
【００１４】
このどちらのパッド１も、図２に示すようにポリエステル製の表地３と裏地４の間にポリエステル製の中綿５を挟んで縫製し、周囲にミシン目６を設けた構造となっている（ここでは、周囲をミシン目６としたが、これに限定されるものではなく、高周波ウェルダミシンなどによる高周波溶着したものにすることもできる）。そして、このようにポリエステル製の素材を用いることにより、強く、安価で、かつ、風合いも良好なものにしている。
【００１５】
前記表地３は、通気性を向上させるためにユニホームと同じニット地を採用している。また、裏地４には、通気性と伸縮性を持たせて動き易くするために、トリコットメッシュ地を用いている。さらに、中綿５は、弾性のあるものを使用してショックの吸収を増すようにしてある。
【００１６】
そして、これら三者を例えば、高周波ウェルダやミシンによる誘電加熱による溶着により、ステッチ２を設けている。
【００１７】
ちなみに、通常のポリエステルは、誘電性能が劣る場合もあるが、その場合は、誘電性能を高めたものもあるので、上手く処理ができない場合は、そのようなものを用いることができる。
【００１８】
この形態は、上記のように構成されており、上記パッドは、図３（ａ）、（ｂ）に示すように、例えば、ユニホームの膝や尻の所要の部分（ユニホームの外側あるいは内側のどちら側でもよい）にそれぞれ縫い付ける。
【００１９】
このように縫い付けられたパッド１は、それぞれのステッチ２が独立して溶着されているので、例えば、スライディングなどで一つのステッチ２が外れても、他のステッチが外れることはない。したがって、糸のステッチのように連鎖的に糸切れを起こして「ほつれる」ことはない。
【００２０】
図４に第２実施形態を示す。
【００２１】
この形態のスポーツ用衝撃吸収パッド１’は、パッド１’の裏面側の周囲に熱溶着テープ７を設けたもので、図４（ａ）のものは、膝当て、同図（ｂ）のものは尻当てである。
【００２２】
すなわち、これらのパッド１’は、図５に示すように、ポリエステル製の表地３と裏地４の間にポリエステル製の中綿５を挟み、周囲にミシン目６（高周波溶着も可）を設けて高周波溶着によるステッチ２を設けた第１実施形態のものと同様の構造のものに、周囲をミシンで縫着する際に熱溶着テープ７を一緒に縫着したものである。
【００２３】
熱溶着テープ７は、例えば、ホットメルト接着剤などを用いたもので、家庭用のアイロンで容易に溶着できるものである。
【００２４】
他の構成については第１実施形態と同様なので図面に同一符号を付して説明は省略する。
【００２５】
この形態は、上記のように構成されており、熱溶着テープ７を設けたパッド１’は、第１実施形態で述べた図３（ａ）、（ｂ）と同様に、ユニホームの膝や尻の所要部分（内側からでも可）に取りつける。その際、前記パッド１’は、アイロンなどを用いて加熱してやれば、熱溶着テープ７が溶融してくっつく。そのため、パッド１’を簡単に取りつけることができる。
【００２６】
また、パッド１’は、このまま使用しても良いが、熱溶着テープ７による接着を仮止めとしてミシンなどで縫着すればパッド１’が動かないので、縫着も簡単にできるし、熱溶着テープ７で取りつけただけのものより、より以上の強度を発揮させることができる。
【００２７】
このように取りつけられたパッド１’は、中央部分がユニフォームにくっつかず、動きを邪魔しない。さらに、塗布された接着剤によるパッド１’全面の硬化もないので、動きを邪魔しない。
【００２８】
なお、熱溶着テープ７は、図４（ａ）、（ｂ）のように、枠状に切り抜いたものでも良いし、帯状のものを組み合わせて用いるようにしてもよい。
【００２９】
また、実施形態では、膝当て用と尻当て用について述べたが、これに限定されるものではない。例えば、肘当て用など他の部位用のものもでもよい。
【００３０】
また、使用形態としては、野球のユニフォームについて述べたが、これに限定されるものではなく、他のスポーツに使用するユニフォームにも適用できるものである。
【００３１】
【発明の効果】
この発明は、以上のように構成したことにより、衝撃吸収パッドの糸切れによるほつれを防止できる。このため、ユニフォームの耐久性を高めることができる。
【００３２】
また、熱溶着テープでパッドを取りつけても、動きを邪魔しないようにできる。
【図面の簡単な説明】
【図１】（ａ）、（ｂ）第１実施形態の正面図
【図２】第１実施形態の断面図
【図３】（ａ）、（ｂ）実施形態の作用説明図
【図４】（ａ）、（ｂ）第２実施形態の正面図
【図５】第２実施形態の断面図
【符号の説明】
１  スポーツ用衝撃吸収パッド
１’  スポーツ用衝撃吸収パッド
２  ステッチ
３  表地
４  裏地
５  中綿
６  ミシン目
７  熱溶着テープ
【図１】
2004244760.tif 000003
【図２】
2004244760.tif 000004
【図３】
2004244760.tif 000005
【図４】
2004244760.tif 000006
【図５】
2004244760.tif 000007